(57)【要約】【課題】液晶ディスプレイ及びそのバックライトモジュールを提供する。【解決手段】バックライトモジュールは、フレームと、複数の光源と、光学フィルムとを備える。フレームは底面と複数の側面を有する。複数のホールを有する底面は側面に接続されている。光源は各々ホールに対応し、フレーム内部に固定されている。光学フィルムはフレーム上に配置されており、光源の上方に位置する。【選択図】図２
2008065292.tif 000002
【特許請求の範囲】
【請求項１】
複数の側面と、お互いに離して配置された複数のホールを有し前記側面に接続された底面とを有するフレームと、
各々が前記ホールと対応し、前記フレーム内部に固定された複数の光源と、
前記フレーム上に配置され、前記光源の上方に位置する光学フィルムとを備えたバックライトモジュール。
【請求項２】
前記底面上に配置された絶縁反射プレートを更に備えた請求項１に記載のバックライトモジュール。
【請求項３】
前記絶縁反射プレートの材料はポリプロピレン（ＰＰ）またはポリエチレンテレフタレート（ＰＥＴ）を含む請求項２に記載のバックライトモジュール。
【請求項４】
前記光源は冷陰極蛍光ランプ（ＣＣＦＬ）、外部電極蛍光ランプ（ＥＥＦＬ）、冷陰極蛍光平面ランプ（ＣＣＦＦＬ）、または発光ダイオード（ＬＥＤ）を含む請求項１に記載のバックライトモジュール。
【請求項５】
前記光学フィルムは拡散プレート、輝度強化プレート、プリズムプレートまたはこれらの組み合わせを備えた請求項１に記載のバックライトモジュール。
【請求項６】
お互いに接続された複数の側面、及びお互いに離して配置された複数のホールを有し前記側面に接続された底面を有するフレームと、各々が前記ホールと対応し前記フレーム内部に固定された複数の光源と、前記フレーム上に配置され前記光源の上方に位置する光学フィルムとを備えたバックライトモジュールと、
前記光学フィルム上に配置されたＬＣＤパネルとを備えたＬＣＤ装置。
【請求項７】
前記底面上に配置された絶縁反射プレートを更に備えた請求項６に記載のＬＣＤ装置。
【請求項８】
複数の側面と、お互いに離して配置された複数の凹領域を有し前記側面に接続された底面とを有するフレームと、
各々が前記凹領域と対応し、前記フレーム内部に固定された複数の光源と、
前記フレーム上に配置され、前記光源の上方に位置する光学フィルムと、を備えたバックライトモジュール。
【請求項９】
前記凹領域は凹状の表面である請求項８に記載のバックライトモジュール。
【請求項１０】
前記凹状の表面は弧状の表面である請求項９に記載のバックライトモジュール。
【請求項１１】
前記光源の各々は前記凹状の表面の中心部に位置している請求項９に記載のバックライトモジュール。
【請求項１２】
前記底面上に配置された絶縁反射プレートを更に備えた請求項８に記載のバックライトモジュール。
【請求項１３】
前記絶縁反射プレートの材料はポリプロピレン（ＰＰ）またはポリエチレンテレフタレート（ＰＥＴ）を含む請求項１２に記載のバックライトモジュール。
【請求項１４】
前記光源は冷陰極蛍光ランプ（ＣＣＦＬ）、外部電極蛍光ランプ（ＥＥＦＬ）、冷陰極蛍光平面ランプ（ＣＣＦＦＬ）、または発光ダイオード（ＬＥＤ）を含む請求項８に記載のバックライトモジュール。
【請求項１５】
前記光学フィルムは拡散プレート、輝度強化プレート、プリズムプレートまたはこれらの組み合わせを含む請求項８に記載のバックライトモジュール。
【請求項１６】
お互いに接続された複数の側面、及びお互いに離して配置された複数の凹領域を有し前記側面に接続された底面を有するフレームと、各々が前記凹領域と対応し前記フレーム内部に固定された複数の光源と、前記フレーム上に配置され前記光源の上方に位置する光学フィルムとを備えたバックライトモジュールと、
前記光学フィルム上に配置されたＬＣＤパネルとを備えたＬＣＤ装置。
【請求項１７】
前記凹領域は凹状の表面である請求項１６に記載のＬＣＤ装置。
【請求項１８】
前記凹状の表面は弧状の表面である請求項１７に記載のＬＣＤ装置。
【請求項１９】
前記光源の各々は前記凹状の表面の中心部に位置している請求項１７に記載のＬＣＤ装置。
【請求項２０】
前記底面上に配置された絶縁反射プレートを更に備えた請求項１６に記載のＬＣＤ装置。
【請求項２１】
複数の側面と、お互いに離して配置された複数のホール及び凹領域を有し前記側面に接続された底面とを有するフレームであって、前記ホール及び前記凹領域は第１方向に沿って交互に配置されており、前記ホール及び前記凹領域は第２方向に沿って交互に配置されており、前記第１方向は実質的に前記第２方向に対して垂直であることを特徴とするフレームと、
各々が前記第１方向と対応し、前記フレーム内部に固定された複数の光源と、
前記フレーム上に配置され、前記光源の上方に位置する光学フィルムとを備えたバックライトモジュール。
【請求項２２】
前記凹領域は凹状の表面である請求項２１に記載のバックライトモジュール。
【請求項２３】
前記凹状の表面は弧状の表面である請求項２２に記載のバックライトモジュール。
【請求項２４】
前記光源の各々は前記凹状の表面の中心部に位置している請求項２３に記載のバックライトモジュール。
【請求項２５】
前記底面上に配置された絶縁反射プレートを更に備えた請求項２１に記載のバックライトモジュール。
【請求項２６】
前記絶縁反射プレートの材料はポリプロピレン（ＰＰ）またはポリエチレンテレフタレート（ＰＥＴ）を含む請求項２５に記載のバックライトモジュール。
【請求項２７】
前記光源は冷陰極蛍光ランプ（ＣＣＦＬ）、外部電極蛍光ランプ（ＥＥＦＬ）、冷陰極蛍光平面ランプ（ＣＣＦＦＬ）、または発光ダイオード（ＬＥＤ）を含む請求項２１に記載のバックライトモジュール。
【請求項２８】
前記光学フィルムは拡散プレート、輝度強化プレート、プリズムプレートまたはこれらの組み合わせを含む請求項２１に記載のバックライトモジュール。
【請求項２９】
複数の側面、及びお互いに離して配置された複数のホール及び凹領域を有し前記側面に接続された底面とを有するフレームであって、前記ホール及び前記凹領域は第１方向に沿って交互に配置されており、前記ホール及び前記凹領域は第２方向に沿って交互に配置されており、前記第１方向は実質的に前記第２方向に対して垂直であることを特徴とするフレームと、各々が前記第１方向と対応し、前記フレーム内部に固定された複数の光源と、前記フレーム上に配置され、前記光源の上方に位置する光学フィルムとを備えたバックライトモジュールと、
前記光学フィルム上に配置されたＬＣＤパネルとを備えたＬＣＤ装置。
【請求項３０】
前記凹領域は凹状の表面である請求項２９に記載のＬＣＤ装置。
【請求項３１】
前記凹状の表面は弧状の表面である請求項３０に記載のＬＣＤ装置。
【請求項３２】
前記光源の各々は前記凹状の表面の中心部に位置している請求項３０に記載のＬＣＤ装置。
【請求項３３】
前記底面上に配置された絶縁反射プレートを更に備えた請求項２９に記載のＬＣＤ装置。
【発明の詳細な説明】
【技術分野】
【０００１】
本発明は液晶ディスプレイに係り、より詳細には、電力消費を減少させ安全性の高い液晶ディスプレイ及びそのバックライトモジュールに関する。
【背景技術】
【０００２】
現代社会においては、半導体デバイスとディスプレイ装置の大いなる発展により、マルチメディア技術が発達している。ディスプレイ装置においては、液晶ディスプレイ（ＬＣＤ）装置が、高い画像の質、空間利用の効率の高さ、低消費電力、電磁波が無い等の複数の利点を有しており、市場の主流となっている。ＬＣＤパネル自体は発光機能を有していないため、バックライトモジュールの光源がＬＣＤパネルの下に実装されなくてはならず、そうすることにより、ディスプレイとしての機能が実現される。
【０００３】
図１は、従来のＬＣＤを概略的に示す断面図である。図１において、従来のＬＣＤ装置１００は、ＬＣＤパネル１１０と、バックライトモジュール１２０と、インバータ回路基板１３０とを備える。ＬＣＤパネル１１０は、バックライトモジュール１２０の上に配置されており、バックライトモジュール１２０は、画像を表示するために用いられる平面光源をＬＣＤパネル１１０に提供する。インバータ回路基板１３０はバックライトモジュールの側面に配置され、バックライトモジュール１２０を駆動させるために直流（ＤＣ）電力を交流（ＡＣ）電力へと変換する。
【０００４】
例えば、バックライトモジュール１２０は、複数のＣＣＦＬ（冷陰極蛍光ランプ）と、フレーム１２４と、拡散プレート１２６とを備える。ＣＣＦＬ１２２はフレーム１２４内部に配置される。更に、拡散プレート１２６はフレーム１２４上に配置され、ＣＣＦＬ１２２の上方に配置されることになる。
【０００５】
前記フレーム１２４は複数の側面プレート１２４ａと一つの金属背面プレート１２４ｂから形成されており、側面プレート１２４ａと金属背面プレート１２４ｂとはお互いに接続されていて、ＣＣＦＬ１２２を適合させるための空間を設けるために金属背面プレート１２４ｂは囲まれている。各々のＣＣＦＬから発する光は、最初に混合され、それから拡散プレート１２６に達する。そうすることにより、より輝度の一様な平面光が形成される。
【０００６】
注意すべきなのは、バックライトモジュールをオンにすると、ＣＣＦＬ１２２と金属背面プレート１２４ｂが非常に近いため、ＣＣＦＬ１２２と金属背面プレート１２４ｂとの間にキャパシタが形成され、それらの間に寄生キャパシタンスが生じてしまうことである。こうした状況では、ＣＣＦＬ１２２に与えられる電流はＣＣＦＬ１２２をオンにするだけでなく、キャパシタをチャージしてしまい、ＣＣＦＬ１２２をオンにするのに十分な電流が生じない。結果として、ＣＣＦＬ１２２の輝度は、元々必要とされていた輝度に達しない。従って、ＣＣＦＬが元々必要とされていた輝度に達するようにするためには、より電力を供給しなければならない。こうした状況により、より電力が消費されてしまう。
【０００７】
現在のディスプレイ装置とは軽くて薄いものであるという傾向を満たすために、一般的に、バックライトモジュール１２０の設計では、可能な限り軽くて薄くなるようにされる。従って、バックライトモジュールの全体の厚さを増加させないという前提の下では、ＣＣＦＬ１２２と金属背面プレート１２４ｂとの間の相対的な位置を調整することが、一つの方法である。つまり、ギャップＨ１を増加させて、ＣＣＦＬ１２２と金属背面プレート１２４ｂとの間の寄生キャパシタンスを減少させることができる。しかしながら、ＣＣＦＬ１２２と拡散プレート１２６との間のギャップＨ２は相対的に減少する。この方法では、ＣＣＦＬ１２２と拡散プレートとの間の距離が短くなりすぎてしまい、バックライトモジュール１２０が提供する平面光源の輝度の一様性が低下してしまう。
【０００８】
更には、ＬＣＤパネル１１０のサイズは益々大きくなる傾向にあり、従って、ＣＣＦＬ１２２のサイズも増加し、ＣＣＦＬ１２２をオンにするための電力も増加している。しかしながら、前記寄生キャパシタンスはＣＣＦＬの表面領域に比例する。ＣＣＦＬ１２２の駆動電圧が高くなると、金属背面プレート１２４ｂに蓄積されるチャージの量も大きくなる。つまり、ＣＣＦＬ１２２の表面領域が大きくなったり、駆動電圧が高くなったりすると、ＣＣＦＬ１２２と金属背面プレート１２４ｂとの間の寄生キャパシタンスが大きくなる。従って、このような状況においては、金属背面プレート１２４ｂとＣＣＦＬ１２２との間の漏れ電流も増加する。これにより、ＬＣＤ装置１００全体の作動時における安全性が低下し、バックライトモジュール１２０の電力消費が漏れ電流のせいで確実に増加する。更には、寄生キャパシタンスと漏れ電流の効果により、従来のインバータ回路基板１３０では、ＣＣＦＬ１２２に運ばれる電流を正確に制御することができない。
【発明の開示】
【発明が解決しようとする課題】
【０００９】
本発明は、従来のバックライトモジュールの漏れ電流と消費電力の大きさという問題を解決するためのバックライトモジュールを提供する。
【００１０】
本発明は、ＬＣＤ装置全体の作動時における安全性を改善するためのバックライトモジュールを提供する。
【課題を解決するための手段】
【００１１】
本発明は、フレームと、複数の光源と、光学フィルムとを備えたバックライトモジュールを提供する。フレームは底面と複数の側面とを有する。分離した複数のホールを有する底面は側面に接続されている。光源はそれぞれホールと対応し、フレーム内部に固定されている。光学フィルムはフレームの上に配置され、光源の上方に位置する。
【００１２】
本発明の実施例によると、前記バックライトモジュールは、前記底面上に配置された絶縁反射プレートを更に備える。
【００１３】
本発明の実施例によると、前記バックライトモジュールにおいて、絶縁反射プレートの材料には、ポリプロピレン（ＰＰ）またはポリエチレンテレフタレート（ＰＥＴ）が含まれる。
【００１４】
本発明の実施例によると、前記バックライトモジュールにおいて、光源には、ＣＣＦＬ、外部電極蛍光ランプ（ＥＥＦＬ）、冷陰極蛍光平面ランプ（ＣＣＦＦＬ）、または発光ダイオード（ＬＥＤ）が含まれる。
【００１５】
本発明の実施例によると、前記バックライトモジュールにおいて、光学フィルムには、拡散プレート、輝度強化プレート、プリズムプレートまたはこれらの組み合わせが含まれる。
【００１６】
本発明は、前記バックライトモジュール及びＬＣＤパネルを備えたＬＣＤ装置を提供する。ＬＣＤパネルはバックライトモジュールの光学フィルム上に配置される。
【００１７】
本発明は、フレームと、複数の光源と、光学フィルムとを備えたバックライトモジュールを提供する。フレームは底面と複数の側面とを有する。分離した複数の凹領域を有する底面は側面に接続されている。光源はそれぞれ凹領域と対応し、フレーム内部に固定されている。光学フィルムはフレームの上に配置され、光源の上方に位置する。
【００１８】
本発明の実施例によると、前記バックライトモジュールにおいて、凹領域は凹状の表面である。
【００１９】
本発明の実施例によると、前記バックライトモジュールにおいて、凹領域は弧状の表面である。
【００２０】
本発明の実施例によると、前記バックライトモジュールにおいて、光源はそれぞれ凹領域の中心部に位置している。
【００２１】
本発明の実施例によると、前記バックライトモジュールにおいて、前記底面上に配置された絶縁反射プレートを更に備える。
【００２２】
本発明の実施例によると、前記バックライトモジュールにおいて、絶縁反射プレートの材料には、ポリプロピレン（ＰＰ）またはポリエチレンテレフタレート（ＰＥＴ）が含まれる。
【００２３】
本発明の実施例によると、前記バックライトモジュールにおいて、光源には、ＣＣＦＬ、外部電極蛍光ランプ（ＥＥＦＬ）、冷陰極蛍光平面ランプ（ＣＣＦＦＬ）、または発光ダイオード（ＬＥＤ）アレイが含まれる。
【００２４】
本発明の実施例によると、前記バックライトモジュールにおいて、光学フィルムには、拡散プレート、輝度強化プレート、プリズムプレートまたはこれらの組み合わせが含まれる。
【００２５】
本発明は、フレームと、複数の光源と、光学フィルムとを備えたバックライトモジュールを提供する。フレームは底面と複数の側面とを有する。底面は側面に接続されている。底面は複数のホールと複数の凹領域とを有する。ホールと凹領域とは第１方向に沿って交互に配置されており、ホールと凹領域とは第２方向に沿っても交互に配置されている。第１方向は実質的に第２方向に対して垂直である。更には、第１方向と対応する光源は、フレーム内部に固定されている。光学フィルムはフレームの上に配置され、光源の上方に位置する。
【００２６】
本発明の実施例によると、前記バックライトモジュールにおいて、凹領域は凹状の表面である。
【００２７】
本発明の実施例によると、前記バックライトモジュールにおいて、凹領域は弧状の表面である。
【００２８】
本発明の実施例によると、前記バックライトモジュールにおいて、光源はそれぞれ凹領域の中心部に位置している。
【００２９】
本発明の実施例によると、前記バックライトモジュールにおいて、前記底面上に配置された絶縁反射プレートを更に備える。
【００３０】
本発明の実施例によると、前記バックライトモジュールにおいて、絶縁反射プレートの材料には、ポリプロピレン（ＰＰ）またはポリエチレンテレフタレート（ＰＥＴ）が含まれる。
【００３１】
本発明の実施例によると、前記バックライトモジュールにおいて、光源には、ＣＣＦＬ、外部電極蛍光ランプ（ＥＥＦＬ）、冷陰極蛍光平面ランプ（ＣＣＦＦＬ）、または発光ダイオード（ＬＥＤ）アレイが含まれる。
【００３２】
本発明の実施例によると、前記バックライトモジュールにおいて、光学フィルムには、拡散プレート、輝度強化プレート、プリズムプレートまたはこれらの組み合わせが含まれる。
【００３３】
本発明は、前記バックライトモジュール及びＬＣＤパネルを備えたＬＣＤ装置を提供する。ＬＣＤパネルはバックライトモジュールの光学フィルム上に配置される。
【発明の効果】
【００３４】
まとめとして、本発明のＬＣＤ装置のバックライトモジュールに対しては、光源は、貫通孔または凹領域と対応し、フレーム内部に固定されている。バックライトモジュールの厚さを変更しないという前提の下で、光源とフレームの底面との間の距離が近過ぎるために生じる寄生キャパシタンスの問題が軽減され、バックライトモジュールの電力消費が低減され、結果として生じる漏れ電流が防止される。更には、ＬＣＤ装置全体の作動時の安全性が改善される。
【発明を実施するための最良の形態】
【００３５】
添付した図面は本発明の更なる理解のために含まれている。図面は本発明の実施例を例示し、明細書の記載とともに、本発明の原理を説明するために用いられる。
【００３６】
〈第１実施例〉
図２は、本発明の第１実施例によるＬＣＤ装置を概略的に例示する断面図である。図２において、ＬＣＤ装置２００は、ＬＣＤパネル２１０とバックライトモジュール２２０とを備える。ＬＣＤパネルはバックライトモジュール２２０の上に配置されている。また、バックライトモジュール２２０はＬＣＤパネル２１０に平面光を提供するのに適しており、ＬＣＤパネル２１０が表示を行える。一般的に、インバータ回路基板２３０をバックライトモジュールの側面に実装することができ、バックライトモジュールをオンにするためにＤＣ電力をＡＣ電力に適切に変換する。
【００３７】
図２から見て取れるように、バックライトモジュール２２０は、複数の光源２２２と、フレーム２２４と、光学フィルム２２６とを備える。フレーム２２４は複数の側面２２４ａと底面２２４ｂとを有する。底面２２４ｂには複数のホールＣが分離して存在し、底面２２４ｂは側面２２４ａに接続されている。光源２２２はホールＣと各々対応しており、フレーム２２４内部に固定されている。通常、光源２２２としては、冷陰極蛍光ランプ（ＣＣＦＬ）、外部電極蛍光ランプ（ＥＥＦＬ）、冷陰極蛍光平面ランプ（ＣＣＦＦＬ）やＬＥＤが挙げられる。当業者であれば、なんら限定されることなく、これらの異なる種類の光源２２２から適切な一つを選ぶことができる。
【００３８】
更に、光学フィルム２２６はフレーム２２４上に配置され、光源２２２の上方に位置することになる。光学フィルムは、拡散プレート、輝度強化プレート、プリズムプレートやこれらの組み合わせを含むことができる。詳細には、ＬＣＤパネル２１０は光学フィルム２２６の上に配置される。光学フィルム２２６が拡散プレートであるならば、光源２２２から発した光は、光学フィルム２２６を通過し、輝度の一様性がよりよい平面光を有するようになる。光学フィルム２２６がプリズムプレートであるならば、プリズムプレートは、光源２２２からの光の方向を調整するために用いることができる。
【００３９】
本発明の底面２２４ｂにはホールＣが設けられており、光源２２２はそれぞれ対応するホールＣに配置されていることには留意されたい。結果として、バックライトモジュール２２０の全体の厚さと、光源２２２と底面２２４ｂとの間の相対的な位置とが保持されている条件の下において、光源２２２と底面２２４ｂとの間の寄生キャパシタンスを効果的に減少させることができる。勿論、ホールＣの形状は上述のような形状に限定されない。光源２２２のサイズや形状、数によって、ホールＣの形状は適切に調整することができる。
【００４０】
つまり、本発明のバックライトモジュール２２０は、底面２２４ｂへのチャージの蓄積を生じさせる寄生キャパシタンスの効果によって起きる漏れ電流を効果的に減少させることができるだけではない。更には、本発明は、バックライトモジュール２２０の作動時における安全性を改善することが可能である。更には、インバータ回路基板２３０は、光源２２２に運ばれる所定の電流を正確に制御することができる。ＬＣＤパネル２１０が画像を表示する必要に応じて、光源２２２は機能する。
【００４１】
注意すべきなのは、本発明は光源２２２の位置を変更する必要が無く、光源２２２と光学フィルム２２６との間の相対的な位置関係は、元々の状態に保持可能であるということである。これにより、光源２２２が光学フィルム２２６に近すぎるという不適切な位置調整によって生じる、光学フィルム２２６から発した光の非一様性現象が防止される。
【００４２】
更には、本実施例において、絶縁反射プレートＲを底面２２４ｂ上に更に配置することが可能で、光源２２２から発した光が絶縁反射プレートＲにより反射され、より効果的に再利用される。絶縁反射プレートＲの材料は、ポリプロピレン（ＰＰ）やポリエチレンテレフタレート（ＰＥＴ）であってもよい。
【００４３】
〈第２実施例〉
図３は本発明の第２実施例によるＬＣＤ装置を概略的に例示する断面図である。図３において、第２実施例は第１実施例に類似している。しかしながら、これら二つの実施例の違いは、第２実施例のバックライトモジュール２２０の底面２２４ｃは複数の分離した凹領域Ｃ１を有するということである。光源２２２はそれぞれ凹領域Ｃ１と対応しており、フレーム２２４内部に固定されている。凹領域Ｃ１は弧状の表面を有するように設計できる。光源２２２は、弧状の表面の曲率中心上に配置することができる。つまり、本実施例は凹領域Ｃ１を用いることにより、図１に示すようなＣＣＦＬ１２２と金属背面プレート１２４ｂが近すぎるために生じる寄生キャパシタンスと漏れ電流という従来の問題を軽減することができる。注意すべきなのは、凹領域Ｃ１の形状は上述の形状には限定されないということである。凹領域Ｃ１の形状は、光源２２２のサイズや形状、数によって、変更することが可能である。
【００４４】
〈第３実施例〉
図４Ａは本発明の第３実施例によるＬＣＤ装置を概略的に例示する底面図である。図４Ｂは、図４ＡのＡ−Ａ’線に沿った概略的な断面図である。図４Ａと図４Ｂにおいて、本実施例のＬＣＤ４００の底面２２４ｄには、複数の凹領域Ｃ１とホールＣが設けられている。凹領域Ｃ１とホールＣは第１方向Ｘに沿って交互に配置されており、凹領域Ｃ１とホールＣは第２方向Ｙに沿っても交互に配置されている。第１方向Ｘは実質的に第２方向Ｙに対して垂直である。
【００４５】
詳細には、第１方向Ｘは水平方向であり、第２方向Ｙは垂直方向である。しかしながら、本発明はこの選択に限定されない。更には、各々の光源２２２の延伸方向は、第１方向Ｘまたは第２方向Ｙに任意に対応させることができる。注意すべきなのは、凹領域Ｃ１とホールＣとを交互に配置する方法は、光源２２２と対応する底面２２４ｄとの間の寄生キャパシタンスを効果的に低減できるということである。例えば、前記凹領域Ｃ１は、凹状の表面である。凹状の表面は、弧状の表面を有するように設計できる。光源２２２は、凹状の表面の中心に位置させることができる。勿論、凹領域Ｃ１とホールの形状は、上述の形状に限定されない。凹領域Ｃ１とホールの形状は、光源２２２のサイズや形状、数によって、変更することが可能である。
【００４６】
注意すべきなのは、バックライトモジュール２２０の厚さＨを変更しないという条件の下で、インバータ回路基板２３０の形状を、凹領域Ｃ１の形状に従って適切に変更することが可能であるということである。
【００４７】
まとめると、本発明のＬＣＤ装置とバックライトモジュールは少なくとも下記に挙げる利点を有する。
【００４８】
光源はホールまたは凹領域と対応しており、フレーム内部に固定されているので、バックライトモジュールの厚さと、光源と光学フィルムとの間の相対的な位置を変更しないという前提の下で、本発明は、光源とフレームの底面との間の距離が近すぎるために生じる寄生キャパシタンスの問題を効果的に軽減することができる。そして、バックライトモジュールの電力消費が低減されて、結果として生じる漏れ電流を防止する。更には、光源と光学フィルムの相対的な位置が変更されていないので、光源から発し光学フィルムを通過する平面光の一様な明るさが保持される。
【００４９】
バックライトモジュールで生じる漏れ電流が効果的に減少されるので、本発明のＬＣＤ装置の作動時の全電力消費は大いに低減される。
【００５０】
本発明のバックライトモジュールは寄生キャパシタンスと漏れ電流を効果的に減少させるので、インバータ回路基板は、光源に与えられる電流を正確に制御できる。
【００５１】
本発明の範囲や思想から逸脱せずに、様々な修正や変更を本発明の構造に対して行えることは当業者にとって自明である。上記の説明を参照して、本発明の修正と変更が添付した特許請求の範囲及びそれに等価なものの範囲に落とし込めるのであれば、本発明はそれらの修正と変更を含んでいるものと解釈される。
【図面の簡単な説明】
【００５２】
【図１】従来のＬＣＤ装置を概略的に例示する断面図である。
【図２】本発明の第１実施例によるＬＣＤ装置を概略的に例示する断面図である。
【図３】本発明の第２実施例によるＬＣＤ装置を概略的に例示する断面図である。
【図４Ａ】本発明の第３実施例によるＬＣＤ装置を概略的に例示する底面図である。
【図４Ｂ】図４ＡのＡ−Ａ’線に沿った概略的な断面図である。
【符号の説明】
【００５３】
１００、２００  ＬＣＤ装置
１１０、２１０  ＬＣＤパネル
１２０、２２０  バックライトモジュール
１２２  冷陰極蛍光ランプ
１２４、２２４  フレーム
１２４ａ  側面プレート
１２４ｂ  金属背面プレート
１２６  拡散プレート
１３０、２３０  インバータ回路基板
２２２  光源
２２４ａ  側面
２２４ｂ、２２４ｃ、２２４ｄ  底面
２２６  光学フィルム
Ｃ  ホール
Ｃ１  凹領域
Ｒ  絶縁反射プレート
【図１】
2008065292.tif 000003
【図２】
2008065292.tif 000004
【図３】
2008065292.tif 000005
【図４Ａ】
2008065292.tif 000006
【図４Ｂ】
2008065292.tif 000007